(57)【要約】【課題】  芯が潰れたクロスでも中心にセットでき、原反ロールの中心を固定して、弛みなどなく、安定にクロスを機械本体へ送ることのできる壁紙糊付機用クロス側板を得る。【解決手段】  糊付機本体後部の引き込み口のピンチローラから内部に引き込まれ、本体内部に設けられた糊付ローラにより壁装材の裏面に糊が塗布されて本体前部へ送り出されるシート状壁装材を繰り出す原反ロールの両側端を各々押さえる一対のクロス側板であって、糊付機本体後部に横架されるクロス芯棒に芯が通された原反ロールの両側端の一方を押さえる側板本体と、クロス芯棒に通された原反ロールの芯側に突設され、尚且つ、クロス芯棒の軸心回りに対称な傾斜を有するテーパー部材と、側板本体とテーパー部材との何れかをクロス芯棒の予め定められた位置に固定する固定手段とを備えたもの。【選択図】      図１
2006110933.tif 000002
【特許請求の範囲】
【請求項１】
糊付機本体後部の引き込み口のピンチローラから内部に引き込まれ、前記本体内部に設けられた糊付ローラにより壁装材の裏面に糊が塗布されて本体前部へ送り出されるシート状壁装材を繰り出す原反ロールの両側端を各々押さえる一対のクロス側板であって、
糊付機本体後部に横架されるクロス芯棒に芯が通された原反ロールの両側端の一方を押さえる側板本体と、
前記クロス芯棒に通された原反ロールの芯側に突設され、尚且つ、クロス芯棒の軸心回りに対称な傾斜を有するテーパー部材と、
前記側板本体とテーパー部材との何れかをクロス芯棒の予め定められた位置に固定する固定手段とを備えたことを特徴とする壁紙糊付機用クロス側板。
【請求項２】
前記テーパー部材がクロス芯棒の軸を中心として十字に配された部材からなることを特徴とする請求項１に記載の壁紙糊付機用クロス側板。
【請求項３】
前記テーパー部材又は側板本体を原反ロール方向に押出す押出し手段を更に備えたことを特徴とする請求項１又は２に記載の壁紙糊付機用クロス側板。
【請求項４】
前記押出し手段が、前記固定手段で固定されたテーパー部材に対して側板本体を原反ロール方向に押出す側板本体押出し手段であることを特徴とする請求項３に記載の壁紙糊付機用クロス側板。
【請求項５】
前記側板本体押出し手段が、バネの弾性によって側板本体を原反ロール方向に押出すことを特徴とする請求項４に記載の壁紙糊付機用クロス側板。
【請求項６】
前記押出し手段が、前記固定手段で固定された側板本体に対してテーパー部材を原反ロール方向に押出すテーパー部材押出し手段であることを特徴とする請求項３に記載の壁紙糊付機用クロス側板。
【請求項７】
前記テーパー部材押出し手段が、ネジ機構によってテーパー部材を原反ロール方向に押出すことを特徴とする請求項６に記載の壁紙糊付機用クロス側板。
【発明の詳細な説明】
【技術分野】
【０００１】
本発明は、壁紙糊付機で糊付されるシート状壁装材を繰り出す原反ロールを両側端を押さえるクロス側板の工夫に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊をローラで糊上げ、壁装材裏面に転写塗布していくものである。
【０００３】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００４】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げている糊付ローラの頂点上で、この糊付ローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００５】
このような壁紙糊付機の具体的な挙動を、自動壁紙糊付機を例に説明する。図６は従来の自動壁紙糊付機の構成を示す説明図である。図に示す通り、糊付機本体１０１を構成する上部構体１０２及び下部構体１０３内には、複数のローラが配列されており、下部構体１０３内には、糊を収容している糊桶１０４が備えられている。
【０００６】
上部構体１０２内には、クロスを糊付機本体内に後部側から取り込むためのピンチローラを構成する上ピンチローラ１１０と、クロスに糊付機本体の前部方向への送り出し張力を付与するためのドライブローラ１１２と、これら上ピンチローラ１１０とドライブローラ１１２との間でクロスを上から押さえて追従回転する押さえローラ１１１とが、互いに所定間隔で平行に配列されるように、それぞれ上部構体１０２の側板に軸支されている。
【０００７】
また、下部構体１０３内には、前記上ピンチローラ１１０と対になってピンチローラを構成する下ピンチローラ（図示せず）と、糊上げローラ（図示せず）から転写された糊をクロス裏面に塗布する糊付けローラ１１５と、糊付けローラ１１５に接して糊量を調節するドクターローラ（図示せず）と、前記ドライブローラ１１２と共にクロスに適度な張力を与えて前部方向へ送り出す均しローラ１１６とが、互いに所定間隔を持って平行に配列されるように、下部構体１０３の側板に軸支されている。また糊上げローラは、糊桶１０４の内部両側面に軸支されている。
【０００８】
通常、これら複数のローラの内、下部構体１０３内に配列されたものは全てギアを介して連動するものである。一方、上部構体１０２内に配列されたものは、ドライブローラ１１２がギアを介して下部構体１０３のギア系と連動するものであり、上ピンチローラ１１０および押さえローラ１１１は、他のローラの回転駆動によって後方から前方へ搬送されていくクロスに当接して表面摩擦によって回転するものである。
【０００９】
このような構成の壁紙糊付機を用いた糊付け作業においては、まず、下部構体１０３に対して上部構体１０２を開いた状態とし、糊付機本体１０１の後方に横架されているクロス芯棒１２１で原反ロールＲを軸支し、原反ロールＲからクロスの先端を引き出し、２つのテンションバーを経て糊付機本体後部に取付けられたスリッタ１２０を通してから、その先端が本体全面側に垂れるようにクロスを下ピンチローラ，糊付けローラ１１５，均しローラ１１６の上に載せ、上部構体１０２を閉じ、クロスの挟み込み状態を得る。
【００１０】
このようにクロスがセットされた状態において、自動壁紙糊付機の場合はコントローラＭ内の駆動制御装置からの寸動指令によって、寸動量だけ駆動が開始される。この初期駆動によってギアでそれぞれ連結された各ローラが所定の周速比で回転を始めると、糊上げローラが糊桶内の糊を載せ上げつつ、糊付けローラ１１５へ糊を転写する。糊付けローラ１１５の表面へ転写された糊は、ドクターローラで所定量に調整されたのち、押さえローラ１１１を経て糊付けローラ１１５の頭頂部に送られてくるクロスの裏面に転写塗布される。
【００１１】
糊付けされたクロスは、その後ドライブローラ１１２と均しローラ１１６とによって張力を与えられた状態で牽引され、均しローラ１１６による糊面の均しが行われつつ本体前面に送り出されてくる。寸動量分のクロス裏面への糊付けが行われたら、装置の駆動が一旦止まり、先端の糊付けされていない不要なクロス部分をカッタで切断して糊付準備を終了する。
【００１２】
この糊付準備終了後、実際に必要なクロス長等の条件設定を駆動制御装置へ入力し、駆動制御装置からの作動命令によってモータによる装置の回転駆動が開始されると、裏面全面に糊付けされたクロスが本体前面から送り出され、所望の長さとなるとモータ駆動が停止し、カッタで切断する。この所望長さの糊付け済みクロスが所望枚数得られたら、駆動制御装置からの停止命令によってモータ駆動を停止し、次のクロスの所望長さが入力され、作動命令が生じると再び装置駆動を始める。通常、作業現場ではこの操作が繰り返し行われる。
【００１３】
このような構成の壁紙糊付機に対して、本出願人は、壁紙糊付機の改良を多数提案している。例えば、クロスに一定の張力を与えて、クロスのシワや撓みの発生を防止し、クロスの蛇行を防止することができる壁紙糊付機を提案している（例えば、特許文献１参照）。
【００１４】
【特許文献１】特開２００１−３４０７９５号公報
【発明の開示】
【発明が解決しようとする課題】
【００１５】
しかしながら、クロスを繰り出す原反ロールでは、ロールの芯が潰れたものを装着した場合には、そのまま糊付すると、原反が回転するたびに一時的にテンションが抜け、またテンションが張るという動作を最後まで続けてしまう。このような動きをすると、裁断している箇所にも影響が及び、まっすぐに切断されないという症状が出る。
【００１６】
原反ロールの芯の大きさ等は、各社メーカーや壁紙の種類によってもまちまちで、中には芯自体がないものあり、糊付機としてはどのような芯の太さにも対応しなければならず、尚且つ、側板にて壁紙両端を押さえないと、壁紙が蛇行しやすくなる。
【００１７】
そこで、クロス側板を改良して、芯が潰れたクロスでも中心にセットでき、原反ロールの中心を固定して、弛みなどなく、安定にクロスを機械本体へ送ることのできる壁紙糊付機用クロス側板を得ることを目的とする。更に、芯が潰れた原反ロールだけではなく、クロスが斜めに巻かれたり、蛇行して巻かれたりしている原反ロールであっても、原反ロールの中心を固定して、弛みなどなく、安定にクロスを機械本体へ送ることのできる壁紙糊付機用クロス側板を得ることを目的とする。
【課題を解決するための手段】
【００１８】
請求項１に記載された発明に係る壁紙糊付機用クロス側板は、糊付機本体後部の引き込み口のピンチローラから内部に引き込まれ、前記本体内部に設けられた糊付ローラにより壁装材の裏面に糊が塗布されて本体前部へ送り出されるシート状壁装材を繰り出す原反ロールの両側端を各々押さえる一対のクロス側板であって、
糊付機本体後部に横架されるクロス芯棒に芯が通された原反ロールの両側端の一方を押さえる側板本体と、
前記クロス芯棒に通された原反ロールの芯側に突設され、尚且つ、クロス芯棒の軸心回りに対称な傾斜を有するテーパー部材と、
前記側板本体とテーパー部材との何れかをクロス芯棒の予め定められた位置に固定する固定手段とを備えたことを特徴とするものである。
【００１９】
請求項２に記載された発明に係る壁紙糊付機用クロス側板は、請求項１に記載のテーパー部材がクロス芯棒の軸を中心として十字に配された部材からなることを特徴とするものである。
【００２０】
請求項３に記載された発明に係る壁紙糊付機用クロス側板は、請求項１又は２に記載のテーパー部材又は側板本体を原反ロール方向に押出す押出し手段を更に備えたことを特徴とするものである。
【００２１】
請求項４に記載された発明に係る壁紙糊付機用クロス側板は、請求項３に記載の押出し手段が、前記固定手段で固定されたテーパー部材に対して側板本体を原反ロール方向に押出す側板本体押出し手段であることを特徴とするものである。
【００２２】
請求項５に記載された発明に係る壁紙糊付機用クロス側板は、請求項４に記載の側板本体押出し手段が、バネの弾性によって側板本体を原反ロール方向に押出すことを特徴とするものである。
【００２３】
請求項６に記載された発明に係る壁紙糊付機用クロス側板は、請求項３に記載の押出し手段が、前記固定手段で固定された側板本体に対してテーパー部材を原反ロール方向に押出すテーパー部材押出し手段であるたことを特徴とするものである。
【００２４】
請求項７に記載された発明に係る壁紙糊付機用クロス側板は、請求項６に記載のテーパー部材押出し手段が、ネジ機構によってテーパー部材を原反ロール方向に押出すことを特徴とするものである。
【発明の効果】
【００２５】
本発明は以上説明した通り、芯が潰れたクロスでも中心にセットでき、原反ロールの中心を固定して、弛みなどなく、安定にクロスを機械本体へ送ることができる。また、芯が潰れた原反ロールだけではなく、クロスが斜めに巻かれたり、蛇行して巻かれたりしている原反ロールであっても、原反ロールの中心を固定して、弛みなどなく、安定にクロスを機械本体へ送ることができるという効果がある。
【発明を実施するための最良の形態】
【００２６】
本発明においては、糊付機本体後部に横架されるクロス芯棒に芯が通された原反ロールの両側端の一方を押さえる側板本体と、クロス芯棒に通された原反ロールの芯側に突設され尚且つクロス芯棒の軸心回りに対称な傾斜を有するテーパー部材と、側板本体とテーパー部材との何れかをクロス芯棒の予め定められた位置に固定する固定手段とを備えたクロス側板であるため、芯が潰れたクロスでも中心にセットでき、原反ロールの中心を固定して、弛みなどなく、安定にクロスを機械本体へ送ることができる。
【００２７】
本発明でのクロス側板としては、前述の通り、側板本体と、テーパー部材と、固定手段とを備えればよい。具体的には、側板本体が原反ロールの両側端の一方を押さえ、テーパー部材が原反ロールの芯を押し広げて原反ロールの中心とクロス芯棒の中心とを合致させ、固定手段が状態を維持させる。
【００２８】
本発明のテーパー部材としては、クロス芯棒に通された原反ロールの芯側に突設され尚且つクロス芯棒の軸心回りに対称な傾斜を有するものであればよい。即ち、クロス芯棒の軸心回りに対称な傾斜によるテーパー面が原反ロールの芯に挿入されることにより、潰れた原反ロールの芯であっても、テーパー部材のテーパー面で潰れた芯が押し広げられて原反ロールの中心とクロス芯棒の中心とを合致させることができる。従って、テーパー部材は円錐状、紡錘状、それらの一部を切欠いたもの等種々の形状を取ることができる。具体的な態様としては、クロス芯棒の軸を中心として十字に配された部材からなるもの等が挙げられる。
【００２９】
本発明の固定手段としては、側板本体とテーパー部材との何れかをクロス芯棒の予め定められた位置に固定するものであればよい。従って、従来のクロス側板を固定するための蝶ネジの利用の他にも、チャックのように芯棒を対向する２つ以上の部材で挟み込んで固定するもの、自在かぎのように芯棒を遊貫する部材を芯棒に対して斜めにすることにより固定するものなど種々のものが採用される。
【００３０】
本発明のクロス側板では、テーパー部材又は側板本体を原反ロール方向に押出す押出し手段を更に備える。これにより、芯が潰れた原反ロールだけではなく、クロスが斜めに巻かれたり、蛇行して巻かれたりしている原反ロールであっても、原反ロールの中心を固定して、弛みなどなく、安定にクロスを機械本体へ送ることができる。
【００３１】
具体的な一態様としては、押出し手段として、固定手段で固定されたテーパー部材に対して側板本体を原反ロール方向に押出す側板本体押出し手段を備える。より具体的には、バネの弾性によって側板本体を原反ロール方向に押出す。即ち、側板本体を原反ロール方向に押出すために、クロスが斜めに巻かれたり、蛇行して巻かれたりしている原反ロールであっても、原反ロールの中心を固定して、弛みなどなく、安定にクロスを機械本体へ送ることができる。
【００３２】
別の態様としては、押出し手段として、固定手段で固定された側板本体に対してテーパー部材を原反ロール方向に押出すテーパー部材押出し手段を備える。より具体的には、ネジ機構によってテーパー部材を原反ロール方向に押出す。即ち、テーパー部材を原反ロール方向に押出すために、クロスが斜めに巻かれたり、蛇行して巻かれたりしている原反ロールであっても、原反ロールの中心を固定して、弛みなどなく、安定にクロスを機械本体へ送ることができる。
【００３３】
本発明のクロス側板は原反ロールの両側端を各々押さえるために一対として壁紙糊付機に装着されるが、少なくとも側板本体と、テーパー部材と、固定手段とを備えたクロス側板が一対として壁紙糊付機に装着されればよく、押出し手段として固定手段で固定されたテーパー部材に対して側板本体を原反ロール方向に押出す側板本体押出し手段を備えたクロス側板と、押出し手段として固定手段で固定された側板本体に対してテーパー部材を原反ロール方向に押出すテーパー部材押出し手段を備えたクロス側板とを一対として壁紙糊付機に装着してもよい。
【実施例】
【００３４】
図１は本発明のクロス側板の一実施例の構成を示す説明図である。図２は図１の正面図、側方断面図、背面図である。図に示す通り、本実施例のクロス側板１０は、クロス芯棒２５に芯が通された原反ロールＲ１の両側端の一方を押さえる側板本体１１と、クロス芯棒２５に通された原反ロールＲ１の芯側に突設され、尚且つ、クロス芯棒２５の軸心回りに対称な傾斜を有するテーパー部材１２と、テーパー部材１２をクロス芯棒２５を予め定められた位置に固定する固定手段としての蝶ネジ２２を螺合するネジ穴２０とを備える。
【００３５】
テーパー部材１２は、クロス芯棒２５が挿入される挿入孔１３を中心として十字に４本のテーパー片１４が形成され、テーパー片１４の各々は側板本体１１の芯棒挿入孔１５を中心として十字方向に穿設されたテーパー挿入孔１６の各々に挿入される。固定具１７はクロス芯棒２５に固定ネジ２３で任意の位置に固定される。固定具１７にはクロス芯棒２５が挿入される固定具挿入孔１８が穿設されている。
【００３６】
固定具挿入孔１８と側板本体１１の芯棒挿入孔１５との間には、側板本体１１を原反ロールＲ１側に押圧するバネ１９が装着されている。これにより、図２のｂ図に示す通り、側板本体１１はテーパー挿入孔１６に挿入されたテーパー片１４の内法長さ分だけクロス芯棒２５の長手方向に移動可能である。これにより、芯が潰れた原反ロールだけではなく、クロスが斜めに巻かれたり、蛇行して巻かれたりしている原反ロールＲ１であっても、原反ロールＲ１の中心を固定して、弛みなどなく、安定にクロスを機械本体へ送ることができる。
【００３７】
図３は本発明のクロス側板の別の実施例の構成を示す説明図である。図４は図３の正面図、側方断面図、背面図である。図に示す通り、本実施例のクロス側板３０は、クロス芯棒４５に芯が通された原反ロールＲ３の両側端の一方を押さえる側板本体３１と、クロス芯棒４５に通された原反ロールＲ３の芯側に突設され、尚且つ、クロス芯棒４５の軸心回りに対称な傾斜を有するテーパー部材３２と、テーパー部材３２をクロス芯棒４５を予め定められた位置に固定する固定手段としての蝶ネジ４２を螺合するネジ穴４０とを備える。
【００３８】
テーパー部材３２は、クロス芯棒４５が挿入される挿入管３３を中心としてその測線上に十字に４本のテーパー片３４が形成され、テーパー片３４の各々は挿入管３３の端部に垂直に形成されたテーパー部円板３５に結合されている。テーパー部材３２の挿入管３３の内側にはネジ山が螺刻されており、これに螺合する出入り用ネジ３９が固定具３７の円筒天板部としての固定具円板４１に遊貫されている。固定具円板４１は固定具３７に嵌合され、固定具３７は側板本体３１に固定ネジ４３で固定されている。固定具３７にはクロス芯棒４５が挿入される固定具挿入孔３８が穿設され、出入り用ネジ３９には長手方向にネジ挿入孔４４が穿設されている。
【００３９】
側板本体３１には、クロス芯棒４５を挿入した挿入管３３を含んだ十字状のテーパー片３４が挿入されるテーパー挿入孔３６が穿設されている。クロス芯棒４５の所定位置に蝶ネジで固定された固定具３７によって側板本体３１が固定されている。この側板３１に対して、出入りネジを回動することにより、テーパー部材３２が出入りする。これにより、図４のｂ図に示す通り、テーパー部材３２はテーパー挿入孔３６に挿入されたテーパー片３４の内法長さ分だけクロス芯棒４５の長手方向に移動可能である。これにより、芯が潰れた原反ロールＲ３だけではなく、クロスが斜めに巻かれたり、蛇行して巻かれたりしている原反ロールＲ３であっても、原反ロールＲ３の中心を固定して、弛みなどなく、安定にクロスを機械本体へ送ることができる。
【００４０】
本実施例では、固定手段として、蝶ネジ２２，４２を螺合するネジ穴２０，４０を開示したが、クロス側板１０，３０本体とテーパー部材１２，３２との何れかをクロス芯棒２５，４５の予め定められた位置に固定するものであればよい。例えば、チャックのように芯棒を対向する２つ以上の部材で挟み込んで固定するもの、自在かぎのように芯棒を遊貫する部材を芯棒に対して斜めにすることにより固定するものなど種々のものが採用される。
【００４１】
図５は別の固定手段の構成を示す説明図である。図に示す通り、自在かぎとして機能する一端部側を駆動部とするＬ字形のレバー５１の他端部は、位置決めピン５４でクロス側板５０に傾動可能に支持されている。レバー５１の他端部を含む一辺部には、クロス側板５０のクロス芯棒５５の貫通孔５６とほぼ同径の遊貫孔５２が穿設されており、レバー５１が一端部の駆動部でレバー５１を動かしてロック解除の状態では、クロス側板５０の貫通孔５６と、クロス芯棒５５を遊貫する遊貫孔５２とが、同一直線上になり、クロス芯棒５５を遊貫可能にする。ロック状態とする場合には、駆動部の力を緩めることにより、スプリング５３がレバー５１をクロス芯棒５５に対して斜めにすることにより固定する。
【００４２】
本発明のクロス側板は自動壁紙糊付機又は手動壁紙糊付機の後方に横架されているクロス芯棒に原反ロールを間にして配することができ、これにより、芯が潰れた原反ロールだけではなく、クロスが斜めに巻かれたり、蛇行して巻かれたりしている原反ロールであっても、原反ロールの中心を固定して、弛みなどなく、安定にクロスを機械本体へ送ることができる。
【図面の簡単な説明】
【００４３】
【図１】本発明のクロス側板の一実施例の構成を示す説明図である。
【図２】図１の正面図、側方断面図、背面図である。
【図３】本発明のクロス側板の別の実施例の構成を示す説明図である。
【図４】図３の正面図、側方断面図、背面図である。
【図５】別の固定手段の構成を示す説明図である。
【図６】従来の自動壁紙糊付機の構成を示す説明図である。
【符号の説明】
【００４４】
１０、３０…クロス側板、
１１、３１…側板本体、
１２、３２…テーパー部材、
１３      …挿入孔、
３３…挿入管、
１４、３４…テーパー片、
１５      …芯棒挿入孔、
３５…テーパー部円板、
１６、３６…テーパー挿入孔、
１７、３７…固定具、
１８、３８…固定具挿入孔、
１９      …バネ、
３９…出入り用ネジ
２０、４０…ネジ穴、
４１…固定具円板、
２２、４２…蝶ネジ、
２３、４３…固定ネジ、
４４…ネジ挿入孔、
２５、４５…クロス芯棒、
Ｒ１、Ｒ３…原反ロール、
５０…クロス側板、
５１…レバー、
５２…遊貫孔、
５３…スプリング、
５４…位置決めピン、
５５…クロス芯棒、
５６…貫通孔、
【図１】
2006110933.tif 000003
【図２】
2006110933.tif 000004
【図３】
2006110933.tif 000005
【図４】
2006110933.tif 000006
【図５】
2006110933.tif 000007
【図６】
2006110933.tif 000008